【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
板ボール紙又は段ボール材料の少なくとも２つのブランク、すなわち箱の底を形成する第１のブランク（２）と、第３の平行な折り曲げ線（９）によってそれぞれ互いに結合された少なくとも４つのパネル（４、５、６、７）を含み、底側にフラップのない下側の自由端を含み、箱のカバーを形成する第２のブランク（３）とから、多角形セクションを有する包装箱を製作する方法であって、
ブランクが、２つの隣接するマガジン（２５、２６）から同時に取り出され、前記ブランク（２、３）が、２つの平行なトラック（２９、３０）、すなわち第１のブランクのための第１のトラック（２９）と、第２のブランクのための第２のトラック（３０）との上に配置され、
前記ブランクが、ストッパ駆動システムによって、２つのレール（４０、４１；４２、４３）の間の横方向の隙間によって実質的に案内されつつ、ブランクごとの所定の長手方向位置の組み立て位置に突き当たるまで前記トラックに対してフラットに移送され、
前記第１のブランク（２）が、長手方向当接位置（３４、３５）に移送される間に接着剤が塗布され、
第１及び第２のブランクが、それぞれ、横方向の当接部に押し込まれて、正確な横方向の基準位置が与えられ、
第２のブランク（３）がピックアップされ、横方向に移送されて、第２のブランクが第１のブランクの近くに配置されて、垂直圧による固定によって保持されている間に、第１のトラックのストッパ（６１）が退避し、第２のブランクが第１のブランク（２）上に配置されてインデックスされ、
第２のブランクが、その後第１のブランク上に押し付けられることによって、それぞれの長手方向の所定位置において互い接着され、
このようにして形成されたブランクの組み立て品が、次に形成位置（９０）に移送されて、その位置でブランクを芯の周囲に巻き付けることによって箱が形成される、方法。
【請求項２】
第１のトラック（２９）のストッパ（６１）を退避させるために、第１のブランク（２）が前記ストッパの上に持ち上げられる、請求項１記載の方法。
【請求項３】
第１のトラックのストッパ（６１）を退避させるために、前記ストッパが下向きに後退する、請求項１記載の方法。
【請求項４】
ストッパを後退させるために、後者が、第１のトラックの平面上に位置する軸（６７）を中心として回転し、これによりボール紙を引っ掛けることなく外すことが可能になる、請求項３記載の方法。
【請求項５】
垂直圧による固定が、ブランクに向かって斜角を付けられた、垂直に作動するストッパ（６９）を用いて行われる、請求項１〜４のうちいずれか一項記載の方法。
【請求項６】
第２のブランク（３）が、リニア電気モータシリンダによって垂直に作動する吸着カップ（５１）によってピックアップされた後、４ｍ／ｓ〜６ｍ／ｓの並進運動速度で、横方向の並進運動によって第１のブランク上に運ばれる、請求項１〜５のうちいずれか一項記載の方法。
【請求項７】
第２のブランク（３）が、ベルトクランプ型動作システムによって作動する２つのキャリッジ（５２、５３）のアセンブリによって、第１のブランク（２）に移送される、請求項６記載の方法
【請求項８】
そのようにして形成されたブランクのセットを形成位置に移送するために、前記セットが持ち上げられて、形成位置にセットを移送するためのアセンブリのピックアップ吸着カップ（８４）と接触させる、請求項１〜７のうちいずれか一項記載の方法。
【請求項９】
第１のブランク（２）が、終端に固着タブ（１７）が形成された少なくとも４つのメインセクション（１２、１３、１４、１５）を含み、前記メインセクションは互いに平行な第１の折り曲げ線（１６）によって互いに接続されており、前記一続きのメインセクションは箱のベースの外壁を形成しており、一方の側にフラップがない上側の自由端（１８）を含み、他方の側に前記第１の折り曲げ線に対して垂直な第２の折り曲げ線（２０）によって接続された一続きのフラップを含み、
前記第２のブランク（３）が、前記第２のブランクの自由端（１１）を前記第１のブランクの第２の折り曲げ線（２０）と整列させるか又は実質的に整列させるとともに、前記第３の折り曲げ線（９）を前記第１のブランクの第１の折り曲げ線（１６）に重ねることによって、前記第１のブランクの上に配置されている、請求項１〜８のうちいずれか一項記載の方法。
【請求項１０】
第１のブランクが、中央パネルと、４つの横方向の周辺パネルとを含み、パネルのうち１つは予め接着剤で被覆されており、芯を中心として一旦折りたたんだときにトレイ形状の底を形成するように第２のブランクのセクションと向き合って配置されている、請求項１〜８のうちいずれか一項記載の方法。
【請求項１１】
板ボール紙又は段ボール材料製の少なくとも２つのブランク（２、３）、すなわち箱の底を形成する第１のブランク（２）と、平行な第３の折り曲げ線（９）によって互いに接続された少なくとも４つのパネル（４、５、６、７）を含み、底側にフラップのない下側の自由端（１１）を含み、箱のカバーを形成する第２のブランク（３）とから、多角形セクションの包装箱を製造するための装置（２４）であって、
第１及び第２のブランクの各々の２つの隣接する収納マガジン（２５、２６）と、
前記ブランクを組み立て位置に移送するための手段であって、
前記マガジンからブランクをピックアップするための手段（２７、２８）と、
前記ブランクを、組み立て位置（３１）にフラットに移送するための２つの平行なトラック（２９、３０）、すなわち、第１のブランク（２）のための第１のトラックと、第２のブランク(３)のための第２のトラック（２）とを含み、それぞれのトラックはブランクのためのストッパ駆動システム（３２、３３）を含み、
前記ブランクをそれぞれ案内するための手段であって、ブランク（２、３）を実質的に横方向の隙間によって組み立て位置まで案内するための２つのレール（４０、４１；４２、４３）をそれぞれ含む手段と、
それぞれのブランクのための長手方向の所定位置における、前記組み立て位置における長手方向の当接のための手段（３４、３５）と、
第１のブランクを、その長手方向の位置に移送する間に接着剤で塗布するための手段（３６）と、
レールのうちの１つに対するそれぞれの正確な横方向の基準位置を与えるために、前記第１及び第２のブランクを横方向当接部に押し込むための手段（４４）と、
第２のブランク（３）及び第１のブランク（２）のそれぞれの長手方向の所定位置において、第２のブランク（３）を第１のブランク（２）の上に配置するために、第２のブランク（３）を吸着カップ（５１）によってピックアップして横方向に移送する手段（５０）と、
第２のブランクが第１のブランクの近くに配置されるときに、第１のトラックのストッパからの第１のブランクに対する退避のための手段（６０）と、退避の間に前記第１のブランクを垂直圧によって固定するための手段と、
第２のブランクを第１のブランク上に押し付けるための手段（７０）と、
結果として形成されたブランクのセットを、形成位置（９０）に移送するための手段（８０）とを含む手段と、
を含む装置。
【請求項１２】
芯（２３）と、箱を形成するための前記芯にブランクを巻くための手段とを含む前記形成位置（９０）をさらに含む、請求項１１記載の装置
【請求項１３】
垂直圧による固定手段が、シリンダによって作動する、ブランクに向かって斜角を付けられたストッパ（６９）を含む、請求項１１又は１２に記載の装置。
【請求項１４】
ストッパ（６１）からの退避を達成するための手段（６０）が、第１のトラックの平面の上に位置する軸（６７）を中心としてストッパを回転させることによって、ストッパを下向きに後退させるための手段を含む、請求項１１〜１３のうちいずれか一項記載の装置。
【請求項１５】
第２のブランク（３）をピックアップして第１のブランク上に移送するための手段（５０）が、横方向への並進運動手段を含み、その並進運動手段が、リニア電気モータを有するシリンダ（５４）によって４ｍ／ｓ〜６ｍ／ｓの並進運動速度で垂直に作動する吸着カップ（５１）によるピックアップ手段を含む、請求項１１〜１４のうちいずれか一項記載の装置。
【請求項１６】
第２のブランクを（３）第１のブランク（５０）上に移送するための手段（５０）が、ベルトクランプ駆動システム（５５、５６）によって作動する２つのキャリッジ（５２、５３）のアセンブリを含む、請求項１５に記載の装置。
【請求項１７】
ブランクのセット（２、３）を形成位置（９０）に移送するための手段が、前記形成位置に前記ブランクを移動させるためのアセンブリであって、ピックアップ吸着カップ（８４）を備えたアセンブリと、前記セットを持ち上げて前記セットを前記ピックアップ吸着カップに接触させるように構成された手段とを含む、請求項１１〜１６のうちいずれか一項記載の装置。
【請求項１８】
第１のブランク（２）は、終端部に固着タブ（１７）が形成された少なくとも４つのメインセクション（１２、１３、１４、１５）からなる一続きを含み、前記セクションは互いに平行な第１の折り曲げ線（１６）によって互いに結合されており、前記一続きのセクションは箱のベースの外壁を形成するとともに、一方の側において、前記第１の折り曲げ線に対して垂直な第２の折り曲げ線によって一続きのフラップに接続されており、前記第２のブランクの第３の折り曲げ線を実質的に前記第１のブランクの第１の折り曲げ線に一致させるように配置するピックアップ及び移送手段を含み、
第２のブランクを第１のブランクの上に押圧するための手段が設けられて、それら２つのパネルが２つの対向する隣接しないセクションにおいて接着される、
請求項１１〜１７のうちいずれか一項記載の装置。
【手続補正２】
【補正対象書類名】明細書
【補正対象項目名】００６０
【補正方法】変更
【補正の内容】
【００６０】
図３Ａ、３Ｂ及び４は、本発明の実施形態の装置の上流部を、概略的ではあるがより詳細に示し、これはここでさらに詳細に説明される。
【手続補正３】
【補正対象書類名】明細書
【補正対象項目名】００６１
【補正方法】変更
【補正の内容】
【００６１】
後者は、ブランクを格納するための２つの隣接するマガジン２５及び２６と、実際の組み立て位置３１に、第１のブランク２及び第２のブランク３を移送するための２つの平行なトラック２９及び３０とを含む。